(57)【要約】【課題】  パチンコ遊技機の裏面に設置された賞品球タンクの位置や形状に関わらず、安定的にパチンコ球を供給することができる賞品球補給装置を提供すること。【解決手段】  賞品球補給装置２は、取付部材５０を介してパチンコ島台に取り付けられる本体部５２と、本体部５２に回動可能に取り付けられ、付勢力によって図の基準位置に保持され、パチンコ遊技機がパチンコ島台に対して閉じられると、賞品球タンクの外壁に当接して基準位置から所定の作動位置へ回動する様に構成されている作動腕５４と、作動腕５４が作動位置にある場合にはパチンコ球が通過可能となり、作動位置以外の位置にある場合にはパチンコ球が通過不能となる補給筒５６と、を備え、更に、作動腕５４を延長するための作動腕延長部材５８ａを備える。作動腕延長部材５８ａは、一枚の金属版を折り曲げて形成されており、金属の可撓性により作動腕５４に対して着脱可能になっている。【選択図】図２
2011136249.tif 000002
【特許請求の範囲】
【請求項１】
パチンコ遊技機が開閉可能に取り付けられたパチンコ島台の補給径路から供給されるパチンコ球を、前記パチンコ遊技機の裏面に設置された賞品球タンクに補給する賞品球補給装置であって、
前記パチンコ島台に取り付けられる本体部と、
所定の軸部材を介して前記本体部に回動可能に取り付けられ、通常時は所定の基準位置にあり、前記パチンコ遊技機が前記パチンコ島台に対して閉じられると、前記賞品球タンクの外壁に当接して前記基準位置から所定の作動位置へ回動する様に構成されている作動腕と、
該作動腕が前記作動位置にある場合にはパチンコ球が通過可能となり、前記作動位置以外の位置にある場合にはパチンコ球が通過不能となるパチンコ球通過切換機構を備える補給筒と、
を備え、前記作動腕に、当該作動腕を延長するための作動腕延長部材を着脱可能に取り付けたことを特徴とする賞品球補給装置。
【請求項２】
パチンコ遊技機が開閉可能に取り付けられたパチンコ島台の補給径路から供給されるパチンコ球を、前記パチンコ遊技機の裏面に設置された賞品球タンクに補給する賞品球補給装置であって、
前記パチンコ島台に設置された本体部と、
所定の軸部材を介して前記本体部に回動可能に取り付けられ、通常時は所定の基準位置にあり、前記パチンコ遊技機が前記パチンコ島台に対して閉じられると、前記賞品球タンクの外壁に当接して前記基準位置から所定の作動位置へ回動する様に構成されている作動腕と、
該作動腕が前記作動位置にある場合にはパチンコ球が通過可能となり、前記作動位置以外の位置にある場合にはパチンコ球が通過不能となるパチンコ球通過切換機構を備える補給筒と、
を備え、前記作動腕は、前記賞品球タンクの外壁と当接する部位が当該作動腕の長手方向に伸縮可能に構成されていることを特徴とする賞品球補給装置。
【請求項３】
前記作動腕は、前記賞品球タンクの外壁と当接する部位に、当該作動腕の長手方向に摺動可能な摺動部材を備え、
該摺動部材の摺動により長手方向に伸縮する様に構成されていることを特徴とする請求項２に記載の賞品球補給装置。
【請求項４】
パチンコ遊技機が開閉可能に取り付けられたパチンコ島台の補給径路から供給されるパチンコ球を、前記パチンコ遊技機の裏面に設置された賞品球タンクに補給する賞品球補給装置であって、
前記パチンコ島台に設置された本体部と、
所定の軸部材を介して前記本体部に回動可能に取り付けられ、通常時は所定の基準位置にあり、前記パチンコ遊技機が前記パチンコ島台に対して閉じられると、前記賞品球タンクの外壁に当接して前記基準位置から所定の作動位置へ回動する様に構成されている作動腕と、
該作動腕が前記作動位置にある場合にはパチンコ球が通過可能となり、前記作動位置以外の位置にある場合にはパチンコ球が通過不能となるパチンコ球通過切換機構を備える補給筒と、
前記本体部を前記パチンコ島台に取り付けるために前記パチンコ島台に対して螺子等で固定するための螺子孔が形成された取付部材と、
を備え、前記取付部材の螺子孔は、当該取付部材の取付位置を前記パチンコ島台の奥行き方向に変更可能な形状であることを特徴とする賞品球補給装置。
【請求項５】
前記本体部を前記パチンコ島台に取り付けるために前記パチンコ島台に対して螺子等で固定するための螺子孔が形成された取付部材を備え、
前記取付部材の螺子孔は、当該取付部材の取付位置を前記パチンコ島台の奥行き方向に変更可能な形状であることを特徴とする請求項１乃至３の何れかに記載の賞品球補給装置。
【発明の詳細な説明】
【技術分野】
【０００１】
本発明は、パチンコ島台の補給経路から供給されるパチンコ球を、パチンコ遊技機の裏面に設置された賞品球タンクに供給する賞品球補給装置に関する。
【背景技術】
【０００２】
従来、パチンコ遊技機はパチンコ島台に対して扉状に開閉可能に取り付けられており、パチンコ遊技機の点検・修理の際には、パチンコ遊技機を扉状に開けて作業が行われている。
【０００３】
そして、パチンコ遊技機がパチンコ島台に対して閉じられると、パチンコ島台に設置されている賞品球補給装置から、パチンコ遊技機の裏面に設置された賞品球タンクにパチンコ球を供給することができる様になる。具体的には、パチンコ遊技機が完全に閉じられる直前においては図８（ａ）に示す様な状態になっており、これより更にパチンコ遊技機が閉じられると、即ち図８（ａ）の右方向へ賞品球補給装置６が移動すると、パチンコ遊技機の賞品球タンク７０の壁面７０ａに賞品球補給装置６の作動腕５４が当接し、更にパチンコ遊技機が閉じられると、作動腕５４は図８（ａ）の右方向へ押されて、図８（ａ）に示す基準位置から反時計回りに所定の作動位置まで回動する。また、作動腕５４の回動動作に同期して、補給筒５６も、図８（ａ）の基準位置から反時計回りに回動する。補給筒５６は、作動腕５４が作動位置にある場合にはパチンコ球を通過させ、作動腕５４が作動位置以外の位置（基準位置を含む）にある場合にはパチンコ球を通過させない様に切り換えるパチンコ球通過切換機構を備えており、パチンコ遊技機が完全に閉じられて作動腕５４が作動位置まで回動すると、パチンコ球は補給筒５６を通って賞品球タンク７０へ供給される様に構成されている。
【発明の概要】
【発明が解決しようとする課題】
【０００４】
ところで、パチンコ遊技機の裏面の形状は様々であり、賞品球タンク７０の形状も様々であるが、例えば賞品球タンク７０が奥行き方向に長過ぎる場合には、不都合が生じることがある。具体的には、賞品球タンク７０が奥行き方向に長過ぎると、図８（ｂ）に示す様に、パチンコ遊技機が閉じられるに連れて、作動腕５４は、賞品球タンク７０の壁面７０ａに押されて基準位置から作動位置まで回動するのであるが、賞品球タンク７０が奥行き方向に長過ぎるために、パチンコ遊技機が完全に閉じられると、作動腕５４が賞品球タンク７０の壁面７０ａを乗り越えてしまうのである。そして、作動腕５４が賞品球タンク７０の壁面７０ａを乗り越えてしまうと、作動腕５４は図８（ｂ）に示す矢印方向に回動して基準位置に戻ってしまうので、補給筒５６はパチンコ球を通過させなくなり、その結果、賞品球タンク７０にパチンコ球が供給されなくなってしまうのである。
【０００５】
尚、この様に作動腕５４が賞品球タンク７０の壁面７０ａを乗り越えてしまう現象は、賞品球タンク７０が奥行き方向に長い場合だけでなく、賞品球タンク７０が奥行き方向に短くてもパチンコ遊技機自体が厚過ぎる場合にも起こり得る。つまり、パチンコ遊技機が完全に閉じられた状態における賞品球タンク７０の壁面７０ａの位置が、パチンコ遊技機の奥行き方向に進入し過ぎていると、作動腕５４が賞品球タンク７０の壁面７０ａを乗り越えて、賞品球タンク７０にパチンコ球が供給されなくなってしまうのである。
【０００６】
本発明は、この様な問題点を解決するためになされたものであり、パチンコ遊技機の裏面に設置された賞品球タンクの位置や形状に関わらず、安定的にパチンコ球を供給することができる賞品球補給装置を提供することを目的とする。
【課題を解決するための手段】
【０００７】
この様な目的を達成するために、第１の発明にかかる賞品球補給装置は、請求項１に記載されている様に、パチンコ遊技機が開閉可能に取り付けられたパチンコ島台の補給径路から供給されるパチンコ球を、前記パチンコ遊技機の裏面に設置された賞品球タンクに補給する賞品球補給装置であって、前記パチンコ島台に取り付けられる本体部と、所定の軸部材を介して前記本体部に回動可能に取り付けられ、通常時は所定の基準位置にあり、前記パチンコ遊技機が前記パチンコ島台に対して閉じられると、前記賞品球タンクの外壁に当接して前記基準位置から所定の作動位置へ回動する様に構成されている作動腕と、該作動腕が前記作動位置にある場合にはパチンコ球が通過可能となり、前記作動位置以外の位置にある場合にはパチンコ球が通過不能となるパチンコ球通過切換機構を備える補給筒と、を備え、前記作動腕に、当該作動腕を延長するための作動腕延長部材を着脱可能に取り付けたことを特徴とする。
【０００８】
第１の発明にかかる賞品球補給装置によれば、賞品球タンクが奥行き方向に長過ぎる等の理由で賞品球タンクの壁面がパチンコ遊技機の奥行き方向に進入し過ぎている場合であっても、賞品球タンクの壁面の位置に適合する長さの作動腕延長部材を作動腕に装着すれば、パチンコ遊技機が完全に閉じられた状態でも、作動腕が賞品球タンクの壁面を乗り越えてしまうことはなく、作動腕は作動位置まで回動した状態で保持される。
【０００９】
従って、第１の発明にかかる賞品球補給装置によれば、賞品球タンクが奥行き方向に長過ぎる等の理由で賞品球タンクの壁面の位置がパチンコ遊技機の奥行き方向に進入し過ぎている場合であっても、安定的にパチンコ球を供給することができる。
【００１０】
また、同じ目的を達成するために、第２の発明にかかる賞品球補給装置は、請求項２に記載されている様に、パチンコ遊技機が開閉可能に取り付けられたパチンコ島台の補給径路から供給されるパチンコ球を、前記パチンコ遊技機の裏面に設置された賞品球タンクに補給する賞品球補給装置であって、前記パチンコ島台に設置された本体部と、所定の軸部材を介して前記本体部に回動可能に取り付けられ、通常時は所定の基準位置にあり、前記パチンコ遊技機が前記パチンコ島台に対して閉じられると、前記賞品球タンクの外壁に当接して前記基準位置から所定の作動位置へ回動する様に構成されている作動腕と、該作動腕が前記作動位置にある場合にはパチンコ球が通過可能となり、前記作動位置以外の位置にある場合にはパチンコ球が通過不能となるパチンコ球通過切換機構を備える補給筒と、を備え、前記作動腕は、前記賞品球タンクの外壁と当接する部位が当該作動腕の長手方向に伸縮可能に構成されていることを特徴とする。
【００１１】
第２の発明にかかる賞品球補給装置によれば、賞品球タンクが奥行き方向に長過ぎる等の理由で賞品球タンクの壁面がパチンコ遊技機の奥行き方向に進入し過ぎている場合であっても、賞品球タンクの壁面の位置に適合する様に作動腕を伸縮させれば、パチンコ遊技機が完全に閉じられた状態でも、作動腕が賞品球タンクの壁面を乗り越えてしまうことはなく、作動腕は作動位置まで回動した状態で保持される。
【００１２】
従って、第２の発明にかかる賞品球補給装置によれば、第１の発明にかかる賞品球補給装置と同じく、賞品球タンクが奥行き方向に長過ぎる等の理由で賞品球タンクの壁面の位置がパチンコ遊技機の奥行き方向に進入し過ぎている場合であっても、安定的にパチンコ球を供給することができる。
【００１３】
ここで、第２の発明にかかる賞品球補給装置の作動腕、即ち長手方向に伸縮可能な作動腕としては、様々な形態が考えられるが、例えば、請求項３に記載されている様に、前記作動腕は、前記賞品球タンクの外壁と当接する部位に、当該作動腕の長手方向に摺動可能な摺動部材を備え、該摺動部材の摺動により長手方向に伸縮する様に構成されていると良い。
【００１４】
第２の発明にかかる賞品球補給装置の作動腕がこの様に構成されている場合には、摺動部材を摺動させるだけで作動腕を長手方向に伸縮することができるので、伸縮操作が非常に簡単である。
【００１５】
又、第３の発明にかかる賞品球補給装置は、請求項４に記載されている様に、パチンコ遊技機が開閉可能に取り付けられたパチンコ島台の補給径路から供給されるパチンコ球を、前記パチンコ遊技機の裏面に設置された賞品球タンクに補給する賞品球補給装置であって、前記パチンコ島台に設置された本体部と、所定の軸部材を介して前記本体部に回動可能に取り付けられ、通常時は所定の基準位置にあり、前記パチンコ遊技機が前記パチンコ島台に対して閉じられると、前記賞品球タンクの外壁に当接して前記基準位置から所定の作動位置へ回動する様に構成されている作動腕と、該作動腕が前記作動位置にある場合にはパチンコ球が通過可能となり、前記作動位置以外の位置にある場合にはパチンコ球が通過不能となるパチンコ球通過切換機構を備える補給筒と、前記本体部を前記パチンコ島台に取り付けるために前記パチンコ島台に対して螺子等で固定するための螺子孔が形成された取付部材と、を備え、前記取付部材の螺子孔は、当該取付部材の取付位置を前記パチンコ島台の奥行き方向に変更可能な形状であることを特徴とする。
【００１６】
第３の発明にかかる賞品球補給装置によれば、賞品球タンクが奥行き方向に長過ぎる等の理由で賞品球タンクの壁面がパチンコ遊技機の奥行き方向に進入し過ぎている場合であっても、賞品球タンクの壁面の位置に適合する様に取付部材の取付位置を変更すれば、パチンコ遊技機が完全に閉じられた状態でも、作動腕が賞品球タンクの壁面を乗り越えてしまうことはなく、作動腕は作動位置まで回動した状態で保持される。
【００１７】
従って、第３の発明にかかる賞品球補給装置によれば、第１の発明にかかる賞品球補給装置及び第２の発明にかかる賞品球補給装置と同じく、賞品球タンクの壁面の位置が奥行き方向に長過ぎる等の理由で賞品球タンクの壁面の位置がパチンコ遊技機の奥行き方向に進入し過ぎている場合であっても、安定的にパチンコ球を供給することができる。
【００１８】
また、第１の発明又は第２の発明と第３の発明とを組み合わせると更に良い。即ち、請求項５に記載されている様に、第１の発明又は第２の発明にかかる賞品球補給装置において、前記本体部を前記パチンコ島台に取り付けるために前記パチンコ島台に対して螺子等で固定するための螺子孔が形成された取付部材を備え、前記取付部材の螺子孔は、当該取付部材の取付位置を前記パチンコ島台の奥行き方向に変更可能な形状であると更に良い。
【００１９】
この様に構成されている場合には、第１の発明又は第２の発明の効果と、第３の発明の効果とが相乗的に発揮されるので、より一層安定的にパチンコ球を供給することができる。
【図面の簡単な説明】
【００２０】
【図１】パチンコ島台の構成を説明するための正面図である。
【図２】第１実施例の賞品球補給装置の構成を説明するための斜視図である。
【図３】第１実施例の賞品球補給装置の構成を説明するための斜視図である。
【図４】第１実施例の賞品球補給装置をパチンコ島台に設置する態様を説明するための斜視図である。
【図５】パチンコ島台に対してパチンコ遊技機を閉じた状態における第１実施例の賞品球補給装置の態様を説明するための側面断面図である。
【図６】第１実施例の変形例を説明するための賞品球補給装置の側面断面図である。
【図７】第２実施例の賞品球補給装置の構成を説明するための斜視図である。
【図８】従来の賞品球補給装置の構成を説明するための側面断面図である。
【発明を実施するための形態】
【００２１】
以下、本発明の実施の形態を図面に基づいて説明する。
［第１実施例］
まず、本実施例の賞品球供給装置が設置されるパチンコ島台の構成及び作用について説明する。
【００２２】
図１は、本実施例のパチンコ島台の構成を説明するための正面図である。
パチンコ島台１には、図示しないパチンコ遊技機が扉状に開閉可能に設置されている。そして、パチンコ島台１は、他のパチンコ島台との間でパチンコ球を授受しない、所謂独立島である。つまり、外部からパチンコ球を補給しなくても良いのは、パチンコ島台１には、賞品球として払い出すためのパチンコ球を貯留しておくためのメイン貯留タンク１０と、パチンコ遊技機の入賞口に入らなかったアウト球をメイン貯留タンク１０へ送るアウト球ボックス１２及びアウト球回収樋１４と、遊技者が獲得した賞品球を計数してメイン貯留タンク１０へ送るパチンコ球計数器１６とが備えられており、パチンコ島台１内のメイン貯留タンク１０へパチンコ球が戻されるからである。
【００２３】
そして、メイン貯留タンク１０に貯留されているパチンコ球は、順次誘導樋１８を介して玉磨き揚送装置２０へ送られ、パチンコ球は、玉磨き揚送装置２０により磨かれながら上方へ送られ、第１上部タンク２２へ送られる。そして、パチンコ球は、第１上部タンク２２から、図１の右側の補給樋２６ａ及び第２上部タンク２４に分配供給され、第２上部タンク２４に分配供給されたパチンコ球は、図１の左側の補給樋２６ｂに送られる。
【００２４】
その後、左右の補給樋２６ａ及び２６ｂの全体にパチンコ球が行き渡り、更に第１上部タンク２２も満杯になると、それ以上の余剰パチンコ球は、分岐箱２８へ落とされ、図１の右側のオーバーフロー樋３０ａ及び中継樋３２を介して、メイン貯留タンク１０へ返却される。そして、更にパチンコ球が増えて、メイン貯留タンク１０及び図１の右側のオーバーフロー樋３０ａが満杯になると、今度は図１の左側のオーバーフロー樋３０ｂを介してサブ貯留タンク３４に貯留される。当然、サブ貯留タンク３４がパチンコ球で満杯になると、左側のオーバーフロー樋３０ｂも次第に満杯になるおそれがあるが、本実施例の様な独立島においては、パチンコ球計数器１６を返却可能にしたり、不可能にしたりすることにより、左側のオーバーフロー樋３０ｂまでもが満杯にならない様に制御が行われる。尚、サブ貯留タンク３４からメイン貯留タンク１０へは、常に、一定の速度でパチンコ球が誘導される構成になっている。
【００２５】
そして、パチンコ球は、左右の補給樋２６ａ及び２６ｂから、分離器３６を介して、賞品球補給装置２へ供給される。尚、パチンコ島台１には、これら以外にも、玉抜き分離器３８や、電源ユニット４０や、中継基板４２や、２４Ｖトランス４４や、代表ランプ４６等を備えるが、賞品球補給装置２以外は周知の物と同じ構成であるので、詳細な説明は省略する。
【００２６】
次に、賞品球補給装置２の構成について説明する。
図２及び図３は、賞品球補給装置の構成を説明するための斜視図であり、図４は、賞品球補給装置をパチンコ島台に設置する態様を説明するための斜視図であり、図５は、パチンコ島台に対してパチンコ遊技機を閉じた状態における賞品球補給装置の態様を説明するための側面断面図である。
【００２７】
賞品球補給装置２は、補給樋２６ａ及び２６ｂを介して供給されるパチンコ球を、パチンコ遊技機の裏面に設置された賞品球タンク７０に補給するための装置であって、取付部材５０を介してパチンコ島台１に取り付けられる本体部５２と、所定の軸部材を介して本体部５２に回動可能に取り付けられ、図示しないバネ等（付勢部材）の付勢力によって基準位置（図２に示す位置）に保持されており、パチンコ遊技機がパチンコ島台１に対して閉じられると、賞品球タンク７０の外壁７０ａに当接して基準位置から作動位置（図５に示す位置）へ回動する様に構成されている作動腕５４と、作動腕５４が作動位置にある場合にはパチンコ球が通過可能となり、作動位置以外の位置にある場合にはパチンコ球が通過不能となるパチンコ球通過切換機構を備える補給筒５６と、を備え、更に、作動腕５４を延長するための作動腕延長部材５８ａを備える。
【００２８】
図２の円内に拡大図が示されている作動腕延長部材５８ａは、一枚の金属版を折り曲げて形成されており、金属の可撓性により作動腕５４に対して着脱可能になっている。
また、図３に示す様に、取付部材５０と本体部５２とは、蝶螺子６０を用いて取付部材５０に形成された長孔の所定位置で本体部５２に固定する様に構成されており、これによって、賞品球タンク７０と作動腕５４等との高さ方向の位置関係を調整する。
【００２９】
次に、賞品球補給装置２をパチンコ島台１に取り付けるための構成について説明する。
図２乃至図４に示す様に、賞品球補給装置２の取付部材５０には、略王字形状の取付位置調整可能孔５０ａ及び５０ｂが形成されている。一方、図４に示す様に、パチンコ島台１には、取付位置調整可能孔５０ａ及び５０ｂに対応する螺子６６ａ及び６６ｂが立設されたベース部材６４が固定されており、図４（ａ）に示す状態から、ベース部材６４の螺子６６ａ及び６６ｂを取付部材５０の取付位置調整可能孔５０ａ及び５０ｂに挿通し、蝶螺子６８によって固定すると、図４（ｂ）に示す様に、賞品球補給装置２がパチンコ島台１に固定される。そして、固定する際に、ベース部材６４の螺子６６ａ及び６６ｂと取付部材５０の取付位置調整可能孔５０ａ及び５０ｂとの位置関係を適宜選択すれば、パチンコ島台１に対する賞品球補給装置２の取付位置を、図４（ｂ）の矢印方向、即ち左右方向及び奥行き方向に微調整することができる。
【００３０】
続いて、本実施例の賞品球補給装置の効果について説明する。
本実施例の賞品球補給装置２によれば、賞品球タンク７０が奥行き方向に長過ぎる等の理由で賞品球タンク７０の壁面７０ａがパチンコ遊技機の奥行き方向（図５の右方向）に進入し過ぎている場合であっても、賞品球タンク７０の壁面７０ａの位置に適合する長さの作動腕延長部材５８ａを作動腕５４に装着すれば、パチンコ遊技機が完全に閉じられた状態でも、作動腕５４が賞品球タンク７０の壁面７０ａを乗り越えてしまうことはなく、作動腕５４は作動位置まで回動した状態で保持される。
【００３１】
従って、本実施例の賞品球補給装置２によれば、賞品球タンク７０が奥行き方向に長過ぎる等の理由で賞品球タンク７０の壁面７０ａの位置がパチンコ遊技機の奥行き方向に進入し過ぎている場合であっても、安定的にパチンコ球を供給することができる。
【００３２】
更に、本実施例の賞品球補給装置２によれば、ベース部材６４の螺子６６ａ及び６６ｂと取付部材５０の取付位置調整可能孔５０ａ及び５０ｂとの位置関係を適宜選択すれば、パチンコ島台１に対する賞品球補給装置２の取付位置を、奥行き方向に微調整することができるので、より一層安定的にパチンコ球を供給することができる。
【００３３】
尚、図６に示す様に、作動腕延長部材５８ａを取り付けなくても、ベース部材６４の螺子６６ａ及び６６ｂと取付部材５０の取付位置調整可能孔５０ａ及び５０ｂとの位置関係を適宜選択すれば、パチンコ島台１に対する賞品球補給装置２の取付位置を、奥行き方向に微調整することができるので、賞品球タンク７０が奥行き方向に長過ぎる等の理由で賞品球タンク７０の壁面７０ａの位置がパチンコ遊技機の奥行き方向に進入し過ぎている場合であっても、安定的にパチンコ球を供給することができる。
【００３４】
［第２実施例］
まず、本実施例の賞品球補給装置４の構成について説明する。
本実施例の賞品球補給装置４は、作動腕５４の構成以外は前述した第１実施例の賞品球補給装置２と全く同じであるので、作動腕５４の構成についてのみ説明する。
【００３５】
図７は、本実施例の賞品球補給装置４の構成を説明するための斜視図である。
図７に示す様に、本実施例の賞品球補給装置４の作動腕５４は、賞品球タンク７０の外壁７０ａと当接する部位に、作動腕５４の長手方向に摺動可能な摺動部材５８ｂを備え、摺動部材５８ｂの摺動により、実質的に作動腕５４を長手方向に伸縮することができる様に構成されている。
【００３６】
続いて、本実施例の賞品球補給装置４の効果について説明する。
本実施例の賞品球補給装置４によれば、賞品球タンク７０が奥行き方向に長過ぎる等の理由で賞品球タンク７０の壁面７０ａがパチンコ遊技機の奥行き方向に進入し過ぎている場合であっても、賞品球タンク７０の壁面７０ａの位置に適合する様に摺動部材５８ｂを摺動させれば、パチンコ遊技機が完全に閉じられた状態でも、作動腕５４が賞品球タンク７０の壁面７０ａを乗り越えてしまうことはなく、作動腕５４は作動位置まで回動した状態で保持される。
【００３７】
従って、本実施例の賞品球補給装置４によれば、前述した第１実施例の賞品球補給装置２と同じく、安定的にパチンコ球を供給することができる。
以上、本発明の実施例について説明したが、本発明は前述した実施例に何等限定されるものではなく、更に種々の態様において実施しても良いことはもちろんである。
【００３８】
例えば、第１実施例では、金属製の作動腕延長部材５８ａを採用したが、作動腕５４に着脱可能であれば、作動腕延長部材５８ａの材質は任意であり、例えば樹脂製であっても良い。
【００３９】
また、第２実施例では、作動腕５４を伸縮可能にするために摺動部材５８ｂを採用したが、作動腕５４が長手方向に伸縮可能であれば、作動腕５４の伸縮機構は任意であり、例えば作動腕５４が折り畳み可能であり、折り畳まれた状態を解除することによって作動腕５４を長手方向に伸ばすことができる様に構成されていても良い。
【００４０】
また、第１実施例及び第２実施例では、バネ等の付勢力によって作動腕５４を基準位置に保持する様に構成されているが、付勢力は時間の経過と共に低下するので、古くなったバネ等では、作動腕５４を基準位置へ戻すことができなくなる場合もある。ただし、パチンコ遊技機が開けられると、補給筒５６が賞品球タンク７０の壁面７０ａに当接して作動位置から基準位置へ回動する（図５における時計方向に回動する）ので、バネ等の付勢力が低下しても、ある程度は基準位置の方へ戻すことができる。しかし、あくまでも基準位置に近い位置まで戻るだけであるので、補給筒５６の外形を工夫して、補給筒５６が賞品球タンク７０の壁面７０ａに当接しただけでも基準位置の近傍まで戻る様に工夫することが望ましい。例えば、図５において、補給筒５６の左側を、回動軸から遠ざかるに連れて肉厚となる（図５において下に向かって徐々に肉厚となる）様な形状にすると良い。補給筒５６がこの様に構成されている場合には、パチンコ遊技機が開けられて補給筒５６が賞品球タンク７０の壁面７０ａに当接すると、肉厚となった分だけ時計方向への回動量が増すので、より一層基準位置に近い位置まで戻らせることができる。従って、この様に構成されている場合には、時間の経過によってバネ等の付勢力が低下しても、基準位置と作動位置との往復を円滑に行うことができる。
【符号の説明】
【００４１】
１…パチンコ島台    ２，４，６…賞品球補給装置    １０…メイン貯留タンク    １２…アウト球ボックス    １４…アウト球回収樋    １６…パチンコ球計数器    １８…誘導樋    ２０…玉磨き揚送装置    ２２…第１上部タンク
２４…第２上部タンク    ２６ａ，２６ｂ…補給樋    ２８…分岐箱    ３０ａ，３０ｂ…オーバーフロー樋    ３２…中継樋    ３４…サブ貯留タンク  
３６…分離器    ３８…玉抜き分離器    ４０…電源ユニット    ４２…中継基板    ４４…２４Ｖトランス    ４６…代表ランプ    ５０…取付部材    ５０ａ，５０ｂ…取付位置調整可能孔    ５２…本体部    ５４…作動腕    ５６…補給筒    ５８ａ…作動腕延長部材    ５８ｂ…摺動部材    ６０…蝶螺子  
６４…ベース部材    ６６ａ，６０ｂ…螺子    ６８…蝶螺子    ７０…賞品球タンク    ７０ａ…壁面。
【図１】
2011136249.tif 000003
【図２】
2011136249.tif 000004
【図３】
2011136249.tif 000005
【図４】
2011136249.tif 000006
【図５】
2011136249.tif 000007
【図６】
2011136249.tif 000008
【図７】
2011136249.tif 000009
【図８】
2011136249.tif 000010
【手続補正書】
【提出日】平成23年5月16日(2011.5.16)
【手続補正１】
【補正対象書類名】特許請求の範囲
【補正対象項目名】全文
【補正方法】変更
【補正の内容】
【特許請求の範囲】
【請求項１】
パチンコ遊技機が開閉可能に取り付けられたパチンコ島台の補給径路から供給されるパチンコ球を、前記パチンコ遊技機の裏面に設置された賞品球タンクに補給する賞品球補給装置であって、
前記パチンコ島台に設置された本体部と、
所定の軸部材を介して前記本体部に回動可能に取り付けられ、通常時は所定の基準位置にあり、前記パチンコ遊技機が前記パチンコ島台に対して閉じられると、前記賞品球タンクの外壁に当接して前記基準位置から所定の作動位置へ回動する様に構成されている作動腕と、
該作動腕が前記作動位置にある場合にはパチンコ球が通過可能となり、前記作動位置以外の位置にある場合にはパチンコ球が通過不能となるパチンコ球通過切換機構を備える補給筒と、
前記本体部を前記パチンコ島台に対して取り付ける取付部材と、
を備え、
前記取付部材は、当該取付部材の取付位置を前記パチンコ島台の奥行き方向に変更可能な形状である取付位置変更孔を有することを特徴とする賞品球補給装置。
【請求項２】
請求項１に記載の賞品球補給装置において、
前記取付部材は、
前記取付位置変更孔であって、前記本体部を前記パチンコ島台に取り付けるために前記パチンコ島台に対して螺子等で固定するための螺子孔が形成され、
該螺子孔は、当該取付部材の取付位置を前記パチンコ島台の奥行き方向に変更可能な形状であることを特徴とする賞品球補給装置。
【請求項３】
請求項１，２のいずれかに記載の賞品球補給装置において、  
前記作動腕に、当該作動腕を延長するための作動腕延長部材を着脱可能に取り付けたことを特徴とする賞品球補給装置。
【請求項４】
請求項１，２のいずれかに記載の賞品球補給装置において、
前記作動腕は、
前記賞品球タンクの外壁と当接する部位に、当該作動腕の長手方向に摺動可能な摺動部材を備え、
該摺動部材の摺動により長手方向に伸縮する様に構成されていることを特徴とする賞品球補給装置。
【手続補正２】
【補正対象書類名】明細書
【補正対象項目名】０００７
【補正方法】変更
【補正の内容】
【０００７】
この様な目的を達成するために、第１の発明にかかる賞品球補給装置は、請求項１に記載されている様に、パチンコ遊技機が開閉可能に取り付けられたパチンコ島台の補給径路から供給されるパチンコ球を、前記パチンコ遊技機の裏面に設置された賞品球タンクに補給する賞品球補給装置であって、前記パチンコ島台に設置された本体部と、所定の軸部材を介して前記本体部に回動可能に取り付けられ、通常時は所定の基準位置にあり、前記パチンコ遊技機が前記パチンコ島台に対して閉じられると、前記賞品球タンクの外壁に当接して前記基準位置から所定の作動位置へ回動する様に構成されている作動腕と、該作動腕が前記作動位置にある場合にはパチンコ球が通過可能となり、前記作動位置以外の位置にある場合にはパチンコ球が通過不能となるパチンコ球通過切換機構を備える補給筒と、前記本体部を前記パチンコ島台に対して取り付ける取付部材と、を備え、前記取付部材は、当該取付部材の取付位置を前記パチンコ島台の奥行き方向に変更可能な形状である取付位置変更孔を有することを特徴とする。
【手続補正３】
【補正対象書類名】明細書
【補正対象項目名】０００８
【補正方法】変更
【補正の内容】
【０００８】
この発明にかかる賞品球補給装置によれば、賞品球タンクが奥行き方向に長過ぎる等の理由で賞品球タンクの壁面がパチンコ遊技機の奥行き方向に進入し過ぎている場合であっても、取付位置変更孔を利用して取付部材の取付位置を変更すれば、パチンコ遊技機が完全に閉じられた状態でも、作動腕が賞品球タンクの壁面を乗り越えてしまうことはなく、作動腕は作動位置まで回動した状態で保持される。
【手続補正４】
【補正対象書類名】明細書
【補正対象項目名】０００９
【補正方法】変更
【補正の内容】
【０００９】
従って、この発明にかかる賞品球補給装置によれば、賞品球タンクの壁面の位置が奥行き方向に長過ぎる等の理由で賞品球タンクの壁面の位置がパチンコ遊技機の奥行き方向に進入し過ぎている場合であっても、安定的にパチンコ球を供給することができる。
【手続補正５】
【補正対象書類名】明細書
【補正対象項目名】００１０
【補正方法】変更
【補正の内容】
【００１０】
尚、請求項２に記載したように、取付部材には、前記取付位置変更孔として、本体部をパチンコ島台に取り付けるためにパチンコ島台に対して螺子等で固定するための螺子孔を形成し、この螺子孔は、当該取付部材の取付位置をパチンコ島台の奥行き方向に変更可能な形状としてもよい。
【手続補正６】
【補正対象書類名】明細書
【補正対象項目名】００１１
【補正方法】変更
【補正の内容】
【００１１】
次に、請求項３に記載したように、作動腕に、この作動腕を延長するための作動腕延長部材を着脱可能に取り付けてもよい。
このようにすると、賞品球タンクが奥行き方向に長過ぎる等の理由で賞品球タンクの壁面がパチンコ遊技機の奥行き方向に進入し過ぎている場合であっても、賞品球タンクの壁面の位置に適合する長さの作動腕延長部材を作動腕に装着すれば、パチンコ遊技機が完全に閉じられた状態でも、作動腕が賞品球タンクの壁面を乗り越えてしまうことはなく、作動腕は作動位置まで回動した状態で保持される。
【手続補正７】
【補正対象書類名】明細書
【補正対象項目名】００１２
【補正方法】変更
【補正の内容】
【００１２】
従って、この請求項３に記載した発明にかかる賞品球補給装置によれば、賞品球タンクが奥行き方向に長過ぎる等の理由で賞品球タンクの壁面の位置がパチンコ遊技機の奥行き方向に進入し過ぎている場合であっても、より一層安定的にパチンコ球を供給することができる。
【手続補正８】
【補正対象書類名】明細書
【補正対象項目名】００１３
【補正方法】変更
【補正の内容】
【００１３】
また、請求項４に記載したように、作動腕は、賞品球タンクの外壁と当接する部位に、この作動腕の長手方向に摺動可能な摺動部材を備え、この摺動部材の摺動により長手方向に伸縮する様に構成してもよい。
【手続補正９】
【補正対象書類名】明細書
【補正対象項目名】００１４
【補正方法】変更
【補正の内容】
【００１４】
このようにすると、賞品球タンクが奥行き方向に長過ぎる等の理由で賞品球タンクの壁面がパチンコ遊技機の奥行き方向に進入し過ぎている場合であっても、賞品球タンクの壁面の位置に適合する様に作動腕を伸縮させれば、パチンコ遊技機が完全に閉じられた状態でも、作動腕が賞品球タンクの壁面を乗り越えてしまうことはなく、作動腕は作動位置まで回動した状態で保持される。
【手続補正１０】
【補正対象書類名】明細書
【補正対象項目名】００１５
【補正方法】変更
【補正の内容】
【００１５】
従って、この発明にかかる賞品球補給装置によれば、賞品球タンクが奥行き方向に長過ぎる等の理由で賞品球タンクの壁面の位置がパチンコ遊技機の奥行き方向に進入し過ぎている場合であっても、より一層安定的にパチンコ球を供給することができる。
【手続補正１１】
【補正対象書類名】明細書
【補正対象項目名】００１６
【補正方法】変更
【補正の内容】
【００１６】
また、この発明のように、摺動部材の摺動により長手方向に伸縮する様に構成すると、摺動部材を摺動させるだけで作動腕を長手方向に伸縮することができるので、伸縮操作が非常に簡単である。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】